(57)【要約】【課題】低背化された構造においても良好なモジュール保持性が得られることを可能とする。【解決手段】モジュール本体部２１に係合する係止保持片１４ｂ１を有する可撓性支持片１４ｂを、絶縁ハウジング１１の周壁板１１ｂ，１１ｄに取り付けられた壁面固定片１４ａの下端部分から連結支点片１４ｃを介して上方側に向かって長尺状に延出させ、当該可撓性支持片１４ｂのスパン長を従来よりも大幅に拡大させることによって、ソケットコネクタ全体の小型化を図った場合においても、上記可撓性支持片１４ｂの弾性的な変位可能状態を長期にわたって良好に維持させるように構成したもの。【選択図】図２
2008123862.tif 000002
【特許請求の範囲】
【請求項１】
底壁板の周縁部から環状をなすように立ち上げられた複数の周壁板の内部側領域に、モジュール本体部を挿入可能とするモジュール装着空間が形成された絶縁ハウジングと、
前記モジュール装着空間の内部に挿入された前記モジュール本体部に係合して当該モジュール本体部を不動状態に保持するモジュール係止手段と、
を備えたソケットコネクタにおいて、
前記モジュール係止手段は、前記絶縁ハウジングの周壁板に取り付けられた壁面固定片と、
その壁面固定片の下端側であって前記絶縁ハウジングの底壁板の近傍部分から、連結支点片を介して片持ち状に立ち上がるように延出し、前記連結支点片を支点として揺動可能に設けられた可撓性支持片と、
その可撓性支持片の立ち上がり延出端部分に前記モジュール本体部に係合可能となるように設けられた係止保持片と、
を備えていることを特徴とするソケットコネクタ。
【請求項２】
前記絶縁ハウジングの周壁板には、前記可撓性支持片の変形を制限する傾斜支持面が形成されていることを特徴とする請求項１記載のソケットコネクタ。
【請求項３】
前記モジュール係止手段は、前記絶縁ハウジングの互いに対面する一対の周壁板にそれぞれ装着されていることを特徴とする請求項１記載のソケットコネクタ。
【請求項４】
前記壁面固定片は、前記可撓性支持片が配置された周壁板に隣接する他の周壁板に取り付けられていることを特徴とする請求項１記載のソケットコネクタ。
【請求項５】
前記壁面固定片は、少なくとも一体の周壁板の両端部分にそれぞれ配置されているとともに、
それらの各壁面固定片に隣接して配置された一対の前記可撓性支持片どうしが、前記周壁板に沿って延在する中央連結片を介して一体的に接続され、
前記中央連結片の一部が前記モジュール装着空間の外方側に向かって張り出すように折曲形成されていることを特徴とする請求項１記載のソケットコネクタ。
【請求項６】
前記中央連結片の上縁部分は、前記モジュール装着空間の外方側に向かって折曲されていることを特徴とする請求項５記載のソケットコネクタ。
【請求項７】
前記係止保持片は、前記モジュール装着空間の内方側に向かって折曲成形された形状を有していることを特徴とする請求項１記載のソケットコネクタ。
【請求項８】
前記絶縁ハウジングを上方側から覆うシールドカバーが設けられていることを特徴とする請求項１記載のソケットコネクタ。
【請求項９】
前記モジュール本体部が、カメラ部を一体に備えたカメラモジュールを構成していることを特徴とする請求項１記載のソケットコネクタ。
【発明の詳細な説明】
【技術分野】
【０００１】
本発明は、絶縁ハウジング内に装着されたモジュール本体部をモジュール係止手段により保持する構成になされたソケットコネクタに関する。
【背景技術】
【０００２】
一般に、カメラレンズ部を一体に備えたカメラモジュール等のように各種電子部品をモジュール化することが種々の分野で行われているが、モジュール化された電子部品を回路基板上に実装するにあたっては、回路基板上に接続固定されたソケットコネクタに対して、モジュール化された電子部品の本体部を嵌め込むように装着することによって電気的な接続を行うようにしている。
【０００３】
例えば、下記特許文献１に記載されたモジュール用ソケットコネクタ(1)においては、絶縁ハウジング(2)の底壁板(2a)の外周縁部から環状をなすように立ち上げられた周壁板(5)の内側に、略矩形状の上端開口部を有するモジュール内装空間(6)が形成されており、そのモジュール内装空間(6)の内部側にモジュール(110)が挿入されるようにして装着が行われるようになっている。そして、そのソケットコネクタ(1)内に装着されたモジュール(110)は、接地コンタクト(4)として構成されたモジュール係止手段により保持される構成になされている。
【０００４】
その特許文献１に開示された上記モジュール係止手段は、絶縁ハウジング(2)の周壁板(5)に取り付けられる支持板部(4a)を有しているとともに、その支持板部(4a)の上縁部には、上方に突出して折り返された抜け止め接触片(4c)が設けられている。その抜け止め接触片(4c)は、モジュール内装空間(6)の内部側に向かって張り出されており、当該抜け止め接触片(4c)の折り返し先端縁が、ソケット(1)の内部に装着されたモジュール(110)の上面側に当接され、そのときの抜け止め接触片(4c)の弾性的な係止作用によってモジュール(110)の全体が不動状態に保持されるようになっている。
【０００５】
ところが、このような構造を有する従来のソケットコネクタ(1)においては、上述した抜け止め接触片(4c)が、支持板部(4a)の上縁部から短いスパン長で延出する構成になされていることから、モジュール(110)の着脱が繰り返されたときなどにおいて、当該抜け止め接触片(4c)がモジュール内装空間(6)の外方側に開いた状態に塑性変形してしまい、その結果、モジュール(110)側に抜け止め接触片(4c)が当接しなくなってモジュール全体を保持することができなくなってしまうことがある。
【０００６】
特に、近年においては、携帯電話やＰＤＡ等の小型化に従って、モジュールを含むソケットコネクタ全体の高さを出来るだけ低く抑えた低背構造とする傾向になって来ており、そのような低背化に伴って、上述したモジュール係止手段における抜け止め接触片（可撓性支持片）のスパン長を一層短縮化せざるを得なくなっている。そのような事情から、モジュール全体の保持性が低下する傾向が顕著になりつつある。
【０００７】
【特許文献１】特開２００４−２４１２２５号公報
【発明の開示】
【発明が解決しようとする課題】
【０００８】
そこで本発明は、低背化構造においても良好なモジュール保持性を得られるようにしたソケットコネクタを提供することを目的とする。
【課題を解決するための手段】
【０００９】
上記目的を達成するため本発明にかかるソケットコネクタでは、底壁板の周縁部から環状をなすように立ち上げられた複数の周壁板の内部側領域に、モジュール本体部を挿入可能とするモジュール装着空間が形成された絶縁ハウジングと、前記モジュール装着空間の内部に挿入された前記モジュール本体部に係合して当該モジュール本体部を不動状態に保持するモジュール係止手段とを備えたソケットコネクタにおいて、前記モジュール係止手段は、前記絶縁ハウジングの周壁板に取り付けられた壁面固定片と、その壁面固定片の下端側であって前記絶縁ハウジングの底壁板の近傍部分から、連結支点片を介して片持ち状に立ち上がるように延出し、前記連結支点片を支点として揺動可能に設けられた可撓性支持片と、その可撓性支持片の立ち上がり延出端部分に前記モジュール本体部に係合可能となるように設けられた係止保持片とを備えている。
【００１０】
このような構成を有するソケットコネクタによれば、モジュール本体部に係合する係止保持片を有する可撓性支持片が、絶縁ハウジングの周壁板に取り付けられた壁面固定片の下端側から連結支点片を介して上方側に向かって延出するように設けられているため、その可撓性支持片が延出するスパン長が従来よりも大幅に拡大されることとなり、ソケットコネクタ全体の小型化を図った場合においても、上記可撓性支持片の弾性的な変位可能状態が長期にわたって良好に維持される。
【００１１】
また、本発明にかかるソケットコネクタおいては、前記絶縁ハウジングの周壁板には、前記可撓性支持片の変位を制限する傾斜支持面が形成されている。
【００１２】
このような構成を有するソケットコネクタによれば、モジュール本体部を装着又は離脱させる際に、可撓性支持片の変位が絶縁ハウジングの傾斜支持面によって適宜の範囲に規制され、当該可撓性支持片の過剰な変位や塑性変形の発生が防止されることから、モジュール本体部の着脱作業が安全かつ効率的に行われるようになっている。
【００１３】
さらに、本発明にかかるソケットコネクタおいては、前記モジュール係止手段は、前記絶縁ハウジングの互いに対面する一対の周壁板に装着されている。
【００１４】
このような構成を有するソケットコネクタによれば、対向配置されたモジュール係止手段を作業者が片手で外側に押しやることによって、可撓性支持片の係止保持片が開放状態に容易に移行され、モジュール本体部の着脱操作が特別な治具を用いることなく容易かつ安全に行われるようになっている。
【００１５】
さらにまた、本発明にかかるソケットコネクタおいては、前記壁面固定片は、前記可撓性支持片が配置された周壁板に隣接する他の周壁板に取り付けられている。
【００１６】
このような構成を有するソケットコネクタによれば、モジュール係止手段が複数の周壁板により支持されることとなって、モジュール係止手段の固定が強固に行われるようになっている。
【００１７】
また、本発明にかかるソケットコネクタにおいては、前記壁面固定片は、少なくとも一体の周壁板の両端部分にそれぞれ配置されているとともに、それらの各壁面固定片に隣接して配置された一対の前記可撓性支持片どうしが、前記周壁板に沿って延在する中央連結片を介して一体的に接続され、前記中央連結片の一部が前記モジュール装着空間の外方側に向かって張り出すように折曲形成されている。
【００１８】
このような構成を有するソケットコネクタによれば、ソケットコネクタの外側にシールドカバーを取り付けた際に、モジュール係止手段の中央連結片に設けられた折曲張出部分がシールドカバーの内面側に近接して配置され、両者間の隙間が小さくなされることによって、振動の発生時等にモジュール係止手段の中央連結片がシールドカバーの内面側に接触することとなり、そのときのシールドカバーの支持作用によってモジュール係止手段の可撓性支持片に一体形成された係止保持片が安定的に支持され、それによりモジュール本体部がモジュール内装空間から離脱することなく電気的な接続状態が安定して維持されるようになっている。このとき、中央連結片は、モジュール内装空間の外方側に向かって張り出すように折曲形成されることにより強度が高められているため、振動の発生時等にモジュール係止手段の中央連結片がシールドカバーの内面側に接触しても変形を起こすことはない。
【００１９】
さらに、本発明にかかるソケットコネクタにおいては、前記絶縁ハウジングを上方側から覆うシールドカバーが設けられている。
【００２０】
このような構成を有するソケットコネクタによれば、シールドカバーの電磁遮蔽作用によって電送信号に対するシールド機能が向上されるようになっている。
【発明の効果】
【００２１】
以上述べたように本発明にかかるソケットコネクタは、モジュール本体部に係合する係止保持片を有する可撓性支持片を、絶縁ハウジングの周壁板に取り付けられた壁面固定片の下端部分から連結支点片を介して上方側に向かって長尺状に延出させ、当該可撓性支持片のスパン長を従来よりも大幅に拡大させることによって、ソケットコネクタ全体の小型化を図った場合においても、上記可撓性支持片の弾性的な変位可能状態を長期にわたって良好に維持させるように構成したものであるから、低背化された構造においても良好なモジュール保持性が得られ、ソケットコネクタの小型化を図りつつ信頼性を向上させることができる。
【発明を実施するための最良の形態】
【００２２】
以下、本発明をカメラモジュールに適用した一実施形態について図面に基づいて詳細に説明する。
【００２３】
図１〜図４に示されている本発明の一実施形態にかかるソケットコネクタ１０は、略中空角柱形状をなすように形成された絶縁ハウジング１１を備えており、その絶縁ハウジング１１は、平面略矩形状の底壁板１１ａの外周縁部に沿って環状に配置された４体の周壁板１１ｂ，１１ｃ，１１ｄ，１１ｅを有している。これらの各周壁板１１ｂ，１１ｃ，１１ｄ，１１ｅの各々は、上述した底壁板１１ａの外周縁部から略直角に立ち上がるように設けられており、それら４体の周壁板１１ｂ，１１ｃ，１１ｄ，１１ｅによって取り囲まれた内方側領域にモジュール内装空間１０ａが形成されている。そして、そのモジュール内装空間１０ａの内部側に、図示上方側からカメラ部を一体に有するカメラモジュール２０のモジュール本体部２１が挿入されることによって、ソケットコネクタ１０に対するカメラモジュール２０の装着が行われるようになっている。
【００２４】
さらに、上述したようにしてカメラモジュール２０が装着されたソケットコネクタ１０には、当該ソケットコネクタ１０及びカメラモジュール２０の全体を覆うようにして、図示上方側からシールドカバー３０が被せられている。そのシールドカバー３０の中心部分には開口部３１が設けられており、上面部に設けられた開口部３１を通して、上述したカメラモジュール２０のカメラレンズ部２２が図示上方に向かって露出されるように構成されている。
【００２５】
また、上述した絶縁ハウジング１１の各周壁板１１ｂ，１１ｃ，１１ｄ，１１ｅの内側表面には、多数の導電コンタクト１２が適宜のピッチで矩形状をなして環状に配置されている。それらの各導電コンタクト１２は、前記絶縁ハウジング１１の内外に向かって突出する形状になされており、当該各導電コンタクト１２の内方側突出部分には、前記モジュール内装空間１０ａ側に向かって突出する接点部が設けられている。
【００２６】
それら導電コンタクト１２の各接点部は、前記絶縁ハウジングの周壁板１１ｂ，１１ｃ，１１ｄ，１１ｅの内側表面における適宜の高さ位置から前記底壁板１１ａに向かって斜め下方に傾斜して延出するように配置されており、それらの各接点部に対して、上述したモジュール本体部２１の底面角部に凹設された接続パットメッキ導電部２１ａが図示上側から弾性的に圧接される配置関係になされている。このとき、上記各接点部の弾性力は、カメラモジュール２０を、絶縁ハウジング１１の底壁板１１ａに対して斜め上方向に押し上げる作用力を有している。
【００２７】
また、上述した導電コンタクト１２の外方側突出部分には、前記絶縁ハウジング１１の周壁板１１ｂ，１１ｃ，１１ｄ，１１ｅの外表面から外方に向かって適宜の量だけ延出する半田接続部が設けられており、それらの各半田接続部が、図示を省略した回路基板上の半田付けランド部に載置されて半田接続されるようになっている。
【００２８】
さらに、このようなソケットコネクタ１０に装着されたカメラモジュール２０を構成しているモジュール本体部２１は、一対のモジュール係止手段１４，１４の係止作用によって不動状態に保持される構成になされている。これら一対のモジュール係止手段１４，１４は、上述した絶縁ハウジング１１の互いに対面する一対の周壁板１１ｂ，１１ｄにそれぞれ装着されているが、それらのモジュール係止手段１４が装着されている一対の周壁板１１ｂ，１１ｄは、各々に連結されている他の周壁板１１ｃ，１１ｅよりもやや低い高さをなすように形成されている。そして、それら低い高さの周壁板１１ｂ，１１ｄの図示上端縁を上方側から覆うようにして前記モジュール係止手段１４，１４がそれぞれ配置されている。
【００２９】
上記モジュール係止手段１４は、薄板状の金属部材から一体成形されたものであって、長手方向（幅方向）の両端部分に設けられた一対の壁面固定片１４ａ，１４ａが、前記絶縁ハウジング１１の上述した他の周壁板１１ｃ，１１ｅの外表面側にそれぞれ取り付けられている。上記各壁面固定片１４ａは、高さ方向に延在する細長板状部材から形成されているが、それに対応して、前記絶縁ハウジング１１の他の周壁板１１ｃ，１１ｅの外表面に、前記各壁面固定片１４ａに対応した形状の固定溝１１ｆがそれぞれ凹設されている。そして、それらの各固定溝１１ｆ内に、前記各壁面固定片１４ａが上方側から挿入されるようにして嵌合状態になされている。
【００３０】
また、上述した各壁面固定片１４ａにおける高さ方向略中央部分の外表面には、前述したシールドカバー３０側に嵌合する係止突起部１４ａ１が、外方側に適宜の量だけ突出するように設けられている。さらに、前記各壁面固定片１４ａの下端部には、同じく外方に向かって突出する半田接続部１４ａ２が設けられており、その半田接続部１４ａ２が、図示を省略した回路基板上の半田付けランド部に載置されて半田接続が行われるようになっている。
【００３１】
さらに、上述したような壁面固定片１４ａ，１４ａにそれぞれ隣接して、高さ方向に延在する細長板状部材からなる可撓性支持片１４ｂ，１４ｂが配置されている。これらの可撓性支持片１４ｂ，１４ｂは、前記壁面固定片１４ａ，１４ａの下端部分に、小片状部材からなる連結支点片１４ｃ，１４ｃを介して一体的に接続されている。このとき、一つの壁面固定片１４ａと一つの可撓性支持片１４ｂとからなる一組は、他の一組に対して対称的な位置関係となるように配置されており、一対の可撓性支持片１４ｂ，１４ｂどうしが、前記周壁板１１ｂ，１１ｄの長手方向（幅方向）において互いに対向するように配置されている。
【００３２】
前記各連結支点片１４ｃは、上述したように壁面固定片１４ａの下端部分と、可撓性支持片１４ｂの下端部分とを一体的に接続するものであるが、前記絶縁ハウジング１１の底壁板１１ａの近傍に配置され、前記他の周壁板１１ｃ，１１ｅを厚さ方向に貫通して前記周壁板１１ｂ，１１ｄの内表面側に延出するように配置されている。そして、それらの連結支点片１４ｃ，１４ｃの延出端から、前記可撓性支持片１４ｂ，１４ｂが図示上方側に向かって片持ち状に立ち上がるように延出しており、それによって上記可撓性支持片１４ｂ，１４ｂが、前記連結支点片１４ｃ，１４ｃを支点として、前述したモジュール内装空間１０ａの内外方向に向かって弾性的に揺動可能となるように構成されている。
【００３３】
これらの各可撓性支持片１４ｂは、前記絶縁ハウジング１１の周壁板１１ｂ，１１ｄの内表面に沿って当該周壁板１１ｂ，１１ｄと略同一の高さまで上方向に延出しているが、それに対応して、前記絶縁ハウジング１１の周壁板１１ｂ，１１ｄには、前記各可撓性支持片１４ｂの変形を制限する傾斜支持面１１ｂ１，１１ｄ１がそれぞれ形成されている。これらの傾斜支持面１１ｂ１，１１ｄ１は、特に図４に示されているように、前記各可撓性支持片１４ｂの背面側（外表面側）に近接して配置されており、上方側に向かって開放される傾斜面から形成されている。そして、上記各可撓性支持片１４ｂがモジュール内装空間１０ａの外方向（図４の左方向）に開かれる方向に過大に変位されようとしたときに、上記各可撓性支持片１４ｂが前記傾斜支持面１１ｂ１，１１ｄ１に当接され、それによって過剰な変位や塑性変形の発生が防止されるようになっている。
【００３４】
また、前記各可撓性支持片１４ｂ，１４ｂの上方向延出端部分（図示上端部分）には、前述したモジュール本体部２１に係合可能となるように係止保持片１４ｂ１，１４ｂ１が設けられている。これらの各係止保持片１４ｂ１は、上述したモジュール内装空間１０ａの内方側領域に向かって張り出すように横断面略Ｕ字状に折曲成形されており、その折曲成形された先端縁が、前記モジュール本体部２１の上表面に対して当接可能となるように配置されている。
【００３５】
さらに、上述した一対の可撓性支持片１４ｂ，１４ｂの係止保持片１４ｂ１，１４ｂ１どうしは、細長帯状部材からなる中央連結片１４ｄを介して一体的に接続されている。この中央連結片１４ｄは、前述した絶縁ハウジング１１の周壁板１１ｂ，１１ｄの上端面に沿って長手方向（幅方向）に延在するように配置されているが、当該中央連結片１４ｄの上縁部分は、前記モジュール内装空間１０ａの外方側に向かって張り出すように横断面略Ｕ字状に折曲成形されており、その折曲成形された外表面部分が、前記シールドカバー３０の内表面に近接して対面される配置関係になされている。
【００３６】
以上のような構成を有する本実施形態にかかるソケットコネクタ１０によれば、モジュール本体部２１に係合する係止保持片１４ｂ１を有する可撓性支持片１４ｂが、絶縁ハウジング１１の周壁板１１ｂ，１１ｄに取り付けられた壁面固定片１４ａの下端側から連結支点片１４ｃを介して上方側に向かって延出するように設けられているため、その可撓性支持片１４ｂが延出するスパン長が従来よりも大幅に拡大されることとなり、ソケットコネクタ全体の小型化を図った場合においても、上記可撓性支持片１４ｂの弾性的な変位可能状態が長期にわたって良好に維持されるようになっている。
【００３７】
また、本実施形態によれば、ソケットコネクタ１０に対してモジュール本体部２１を装着又は離脱させる際に、可撓性支持片１４ｂの変位が絶縁ハウジング１１の傾斜支持面１１ｂ１，１１ｄ１によって適宜の範囲に規制され、当該可撓性支持片１４ｂの過剰な変位や塑性変形の発生が防止されることから、モジュール本体部２１の着脱作業が安全かつ効率的に行われるようになっている。
【００３８】
さらに、本実施形態においては、絶縁ハウジング１１の互いに対面する一対の周壁板１１ｂ，１１ｄに装着されて対向配置されたモジュール係止手段１４の中央連結片１４ｄを作業者が片手で外側に押しやることによって、可撓性支持片１４ｂの係止保持片１４ｂ１が開放状態に容易に移行されることとなり、モジュール本体部２１の着脱操作が特別な治具を用いることなく容易かつ安全に行われる。
【００３９】
さらにまた、本実施形態によれば、他の周壁板１１ｂ，１１ｄに取り付けられた壁面固定片１４ａ，１４ａによって、モジュール係止手段１４が複数の周壁板１１ｂ，１１ｄにより支持されることとなるため、モジュール係止手段１４の固定が強固に行われるようになっている。
【００４０】
また、本実施形態においては、ソケットコネクタ１０の外側にシールドカバー３０を取り付けた際に、モジュール係止手段１４の中央連結片１４ｄに設けられた折曲張出部分がシールドカバー３０の内面側に近接して配置され、両者間の隙間が小さくなされることによって、振動の発生時等にモジュール係止手段１４の中央連結片１４ｄがシールドカバー３０の内面側に接触することとなり、そのときのシールドカバー３０の支持作用によってモジュール係止手段１４の可撓性支持片１４ｂに一体形成された係止保持片１４ｂ１が安定的に支持され、それによりモジュール本体部２１がモジュール内装空間１０ａから離脱することなく電気的な接続状態を安定して維持できるようになっている。このとき、中央連結片１４ｄは、モジュール内装空間１０ａの外方側に向かって張り出すように折曲形成されていることにより強度が高められているため、振動の発生時等にモジュール係止手段１４の中央連結片１４ｄがシールドカバー３０の内面側に接触しても変形を起こすことはない。
【００４１】
さらに、本実施形態においては、前記絶縁ハウジング１１を上方側から覆うシールドカバー３０が設けられていることから、そのシールドカバー３０の電磁遮蔽作用によって電送信号に対するシールド機能が向上されるようになっている。
【００４２】
また、上述した実施形態と同一の構成物に対して同一の符号を付した図５に示されている他の実施形態では、上述した各壁面固定片１４ａ，１４ａの上端部分に、前記他の周壁板１１ｃ，１１ｅ側に向かって延出するフック部１４ａ３，１４ａ３が設けられている。これらの各フック部１４ａ３は、前記他の周壁板１１ｃ，１１ｅの上面部に凹設された係合溝１１ｇ内に嵌合される構成になされており、それによって前記壁面固定片１４ａ，１４ａの固定がより強固に行われるようになっている。
【００４３】
以上本発明者によってなされた発明を実施形態に基づき具体的に説明したが、本発明は上記実施形態に限定されるものではなく、その要旨を逸脱しない範囲で種々変形可能であるというのはいうまでもない。
【００４４】
例えば上述した実施形態は、カメラモジュール用のソケットコネクタに本発明を適用したものであるが、その他の電子部品をモジュール化した場合におけるソケットコネクタに対しても本発明は同様に適用することができるものである。
【産業上の利用可能性】
【００４５】
以上述べた本発明にかかるソケットコネクタは、カメラモジュールをはじめとしてモジュール化した各種電子部品に対して使用する多種多様なソケットコネクタに対して広く適用することが可能である。
【図面の簡単な説明】
【００４６】
【図１】本発明の一実施形態にかかるソケットコネクタに対してカメラモジュールを装着しようとしている状態を表した観斜視説明図である。
【図２】図１に示された本発明の一実施形態にかかるソケットコネクタにおいて一方のモジュール係止手段を取り外した状態を表した分解観斜視説明図である。
【図３】図１及び図２に示されたソケットコネクタに対してカメラモジュールを装着した状態から一方のモジュール係止手段を取り外した状態を表した平面説明図である。
【図４】図３に示されたカメラモジュールを装着したソケットコネクタの角隅部近傍における縦断面説明図である。
【図５】本発明の他の実施形態におけるソケットコネクタの構造を表した図２相当の分解観斜視説明図である。
【符号の説明】
【００４７】
１０  ソケットコネクタ
１０ａ  モジュール内装空間
１１  絶縁ハウジング
１１ａ  底壁板
１１ｂ，１１ｄ  周壁板
１１ｂ１，１１ｄ１  傾斜支持面
１１ｃ，１１ｅ  他の周壁板
１１ｆ  固定溝
１２  導電コンタクト
１４  モジュール係止手段
１４ａ  壁面固定片
１４ａ１  係止突起部
１４ａ２  半田接続部
１４ａ３  フック部
１４ｂ  可撓性支持片
１４ｂ１  係止保持片
１４ｃ  連結支点片
１４ｄ  中央連結片
２０  カメラモジュール
２１  モジュール本体部
２１ａ  接続パットメッキ導電部
２２  カメラレンズ部
３０  シールドカバー
３１  開口部
【図１】
2008123862.tif 000003
【図２】
2008123862.tif 000004
【図３】
2008123862.tif 000005
【図４】
2008123862.tif 000006
【図５】
2008123862.tif 000007